【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
光源と、
前記光源で出力された光が受信される画像表示手段と、
前記光源と前記画像表示手段の間に配置されており、前記光源から入射された光を出力させる光学素子、前記光学素子で出射される光が通過する第１レンズ、および前記第１レンズを通過した光が入射される第２レンズを有する照明部と、
前記画像表示手段の画像をディスプレイ手段に投射する投射部と、を含むディスプレイ光学系であって、
前記第１レンズの光軸が投射部の光軸の光路に平行であることを特徴とするディスプレイ光学系。
【請求項２】
画像表示手段は、デジタルミラーデバイス(ＤＭＤ)であることを特徴とする請求項１に記載のディスプレイ光学系。
【請求項３】
前記光源から入射した光を出力させる光学素子は、均一な光分布を有するようになるロッドレンズであることを特徴とする請求項１に記載のディスプレイ光学係系。
【請求項４】
前記投射部は、投射レンズを含み、前記第１レンズの光軸と前記投射レンズの光軸の各光学的径路が平行になることを特徴とする請求項１に記載のディスプレイ光学系。
【請求項５】
前記第２レンズの光軸と前記投射レンズの光軸のそれぞれの光学的径路が平行になることを特徴とする請求項１に記載のディスプレイ光学系。
【請求項６】
前記第２レンズを前記ロッドレンズの光軸と接する点を基準に、前記第２レンズの中心軸を平行移動したことを特徴とする請求項３に記載のディスプレイ光学系。
【請求項７】
前記第２レンズを前記ロッドレンズの光軸と接する点を基準に、前記第２レンズの中心軸を上向き方向に平行移動させて、前記第１レンズの光軸と前記ロッドレンズの光軸を一致させることを特徴とする請求項６に記載のディスプレイ光学系。
【請求項８】
前記第１レンズの光軸が、前記ロッドレンズの中心軸に一致することを特徴とする請求項７に記載のディスプレイ光学系。
【請求項９】
前記ロッドレンズ出力面が、前記第１、第２レンズを通過して結像される面と、画像表示手段の面が傾かないようにするため、前記第２レンズの光軸が前記第１レンズの光軸の光学的径路に対して一致しないようにすることを特徴とする請求項１に記載のディスプレイ光学系。
【請求項１０】
前記ロッドレンズの出力面から出力した光線が前記１、２レンズを通過して結像される時に形成される表面画像が、画像表示手段の面に対して傾斜せず、前記第２レンズの光軸が第１レンズ光軸の光学的光路に対して平行になるようにするため、前記第２レンズが、前記第１レンズの光軸を基準にして移動されることを特徴とする請求項９に記載のディスプレイ光学系。
【請求項１１】
第１レンズの光軸を通る光線が、第２レンズに入射して、この第２レンズから出射する場合に、
前記第２レンズから出射する光線と第１レンズの光軸とのなす角は、ＯＮ状態にある画像表示手段から出射した光線と前記第２レンズから出射した光線とのなす角に等しいことを特徴とする請求項１に記載のディスプレイ光学系。
【請求項１２】
第１レンズで出射された光線の径路を変更する径路変更手段は、前記第１レンズと前記第２レンズとの間に配置されることを特徴とする請求項１１に記載のディスプレイ光学系。
【請求項１３】
前記第２レンズは、反射型であることを特徴とする請求項１に記載のディスプレイ光学系。
【請求項１４】
前記第２レンズは、非球面を有することを特徴にする請求項１３に記載のディスプレイ光学系。
【請求項１５】
光源と、
前記光源で出力された光が受信される画像表示手段と、
前記光源と前記画像表示手段の間に配置されており、前記光源から入射された光を出力させる光学素子、前記光学素子で出射される光が通過する第１レンズ、および前記第１レンズを通過した光が入射される第２レンズを有する照明部と、
前記画像表示手段の画像をディスプレイ手段に投射および拡大する投射レンズを有する投射部と、を含むディスプレイ光学系であって、
前記第１レンズの光軸の光路が、前記第２レンズの光軸、および前記投射レンズの光軸に平行であることを特徴とするディスプレイ光学系.
【請求項１６】
光源と、
前記光源で出力された光を受信するデジタルミラーデバイス(DMD)を含む画像表示手段と、
前記光源と前記画像表示手段の間に配置されており、前記光源から入射された光を出力させる光学素子として作動するロッドレンズ、前記ロッドレンズから出射される光が通過する第１レンズ、および前記第１レンズから送信された光が入射される光構成要素を有する照明部と、
前記画像表示手段に形成されたイメージをディスプレイ手段の上に投射および拡大する投射部と、を含むディスプレイ光学系であって、
前記光構成要素の光軸と第１レンズの光軸は、平行で、お互いに一致しない形態で構成され、これによって、前記ロッドレンズから放射された光線が、前記第１レンズ及び前記光構成要素を通じて通過するとき、形成される表面画像は、画像表示手段の表面に対して傾かないことを特徴とするディスプレイ光学系。
【請求項１７】
光を発生させる光源と、
前記光の部分を選択的に反射するデジタルミラーデバイス(DMD)と、
前記光源と前記デジタルミラーデバイスの間に配置される光構成要素とを含むディスプレイ光学系であって、
前記光が前記複数の光構成要素を通過し、前記複数の光構成要素は、前記光が前記デジタルミラーデバイスの表面領域と実質的に一致するように、前記デジタルミラーデバイスの表面に対して垂直な光を投射させ、
前記複数の光構成要素は、前記光源から入射された光を均一な光分布を有するように光線を出力させる役目をする光学素子であるロッドレンズと、
前記ロッドレンズから受信された光線が通過する第１レンズと、
前記ロッドレンズ及び第１レンズの光軸が一致するように、前記ロッドレンズ及び第１レンズが、これらの光軸に沿って位置決められ、前記第１レンズから受信された光線を反射させるミラーとを含み、
前記ミラーの中心軸が、前記ロッドレンズ及び第１レンズの光学的な中心軸と一致せず、前記ロッドレンズおよび第１レンズの各光軸と前記ミラーの中心軸が平行になるように、前記ミラーは、前記ロッドレンズおよび第１レンズの各光軸から離れて配置されることを特徴とするディスプレイ光学系。
【手続補正２】
【補正対象書類名】明細書
【補正対象項目名】０００３
【補正方法】変更
【補正の内容】
【０００３】
画像投射装置の光学系は、光源として使われるランプと、ランプからの光を画像表示素子（画像表示装置）に照らし出すための照明部と、そして画像表示素子とこのような画像表示素子に表示された画像をスクリーンに拡大投射する投射部とによって構成される。
この時、前記ランプとしては、高圧水銀ランプが現在多く使われ、画像表示素子としては、液晶表示素子（液晶表示装置）とデジタルミラーデバイス（DigitalMicromirror Device：ＤＭＤ）等が広く使われている。
上記ＤＭＤは、それぞれ微細ミラーを有する多くのピクセルを備え、それぞれのピクセルに対して配置された記憶素子による電磁場の効果により、各ミラーを固有の傾きに制御し、オン／オフの状態を生じることによって、反射光線の反射角度が変化する。
【手続補正３】
【補正対象書類名】図面
【補正対象項目名】図２
【補正方法】変更
【補正の内容】
【図２】
2004258666.tif 000001
【手続補正４】
【補正対象書類名】図面
【補正対象項目名】図６
【補正方法】変更
【補正の内容】
【図６】
2004258666.tif 000002